(57)【要約】【課題】自転車用ヘルメットにおいて、サイズ調整でき、かつ、快適な装着感が得られるヘッドレストを提供する。【解決手段】このヘッドレスト１００は、ヘルメット本体との接続部と、ユーザの後頭部に当接する、可撓性を備えた素材で構成され、左右対称形状の薄い枠体であって右枠体１１４Ｒと左枠体１１４Ｌと右枠体１１４Ｒおよび左枠体１１４Ｌを連結する中央枠体１１４Ｃとで形成されたヘッドレスト本体１１０と、ヘッドレスト本体１１０の左右端の長さを調整する調整手段とを含む。調整手段は、ヘッドレスト本体１１０の中央枠体１１４Ｃの上下を接近させるように変形させることによりヘッドレスト本体１１０の左右端の長さを調整するとともに、上下を接近させるように変形させた中央枠体１１４Ｃの形状を保持する保持部を備える。【選択図】図２
2020200548.tif 000002
【特許請求の範囲】
【請求項１】
自転車用ヘルメットに好適なサイズ調整機能を備えたヘッドレストであって、前記ヘッドレストは前記自転車用ヘルメットにおいてユーザの後頭部に当接し、前記自転車用ヘルメットはユーザの頭蓋部分を保護するヘルメット本体を含み、
前記ヘッドレストは、
前記自転車用ヘルメット本体との接続部と、
ユーザの後頭部に当接する、上下方向よりも左右方向が長い１つの部材から構成されたヘッドレスト本体と、
前記ヘッドレスト本体の左右端の長さを調整する調整手段と、を含むことを特徴とするヘッドレスト。
【請求項２】
前記ヘッドレスト本体は、変形可能な枠体であって、
前記調整手段は、前記ヘッドレスト本体の中央部分の上下を接近させるように変形させることにより前記ヘッドレスト本体の左右端の長さを調整し、
前記調整手段は、上下を接近させるように変形させた前記中央部分の形状を保持する保持部を備えることを特徴とする、請求項１に記載のヘッドレスト。
【請求項３】
前記ヘッドレスト本体は、可撓性を備えた素材で構成された薄い枠体であって、
前記調整手段は、前記ヘッドレスト本体の中央部分の上下を接近させるようにたわませることにより前記ヘッドレスト本体の左右端の長さを調整し、
前記調整手段は、上下を接近させるようにたわませた前記中央部分の形状を保持する保持部を備えることを特徴とする、請求項１に記載のヘッドレスト。
【請求項４】
前記ヘッドレスト本体は、可撓性を備えた素材で構成され、左右対称形状の薄い枠体であって、右枠体と左枠体と前記右枠体および前記左枠体を連結する中央枠体とで形成され、
前記調整手段は、前記中央枠体の上下を接近させるようにたわませることにより前記右枠体と前記左枠体とを接近させて前記ヘッドレスト本体の左右端の長さを調整し、
前記調整手段は、上下を接近させるようにたわませた前記中央枠体の形状を保持する保持部を備えることを特徴とする、請求項１に記載のヘッドレスト。
【発明の詳細な説明】
【技術分野】
【０００１】
本発明は、自転車用ヘルメットを着用するユーザにとって快適な装着感を提供することのできる自転車用ヘルメットに関し、特にサイズ調整（アジャスター）機能を備えたヘッドレストに関する。
【背景技術】
【０００２】
自転車の走行時の転倒などに備えるために、頭部を保護するヘルメットが自転車レースなどで使用されている。このような自転車用ヘルメット（サイクリング用ヘルメットと同義）は、一般的に自動車レースまたは二輪車で用いられるヘルメットとは異なっており、通常、自転車用ヘルメットは、ユーザ（着用者と同義）の頭を少なくとも部分的に覆うように形成されるとともに頭蓋部分の頂部および側部の両方の部位における衝突からユーザの頭を保護するよう構成されているものが多い。
【０００３】
このような自転車用ヘルメット（以下においては単にヘルメットと記載する）においては、着用者の頭部の形状および／またはサイズが異なることに対応させるためのサイズアジャスターが存在しており、手動操作により着用者の頭の形状および／またはサイズにヘルメットの各部のサイズを調整することが行われている。
このようにヘルメットの各部のサイズを調整する具体的な例として、ヘルメット本体の周囲長（頭周）、後頭部に当接して着用時の安定性を確保するヘッドレストの長さ（位置）がある。特開２０１５−０２１２１７号公報（特許文献１）は、ヘッドレストのサイズアジャスターを開示する。
【０００４】
この特許文献１に開示されたサイズアジャスターは、サイクリング用ヘルメットの内側に固定的に連結できる形式のサイクリング用ヘルメットのためのサイズアジャスターであって、前記サイズアジャスターは、前記ヘルメットの下側周囲に沿って配置された環状構造体を有し、前記環状構造体は、前記ヘルメットをサイズの異なるユーザが着用できるよう最小直径形態と複数の増大直径形態との間で切換え可能であり、前記サイズアジャスターには、前記環状構造体の前記形態の手動切換え装置が設けられている、サイズアジャスターにおいて、前記サイズアジャスターは、少なくとも１本の軸線に沿って自由に差し向けることができる仕方で前記環状構造体に連結されたユーザ用ヘッドレスト要素を有する。
【０００５】
この特許文献１には（特に図１、図２、図８）、左右に分割されたヘッドレスト要素（１３）の円筒形ピンが中央部分（１５）の左右端のサイドアーム（１４）に設けられた球形支持体（１６）とそれぞれ結合されて、左右一対の２個のヘッドレスト要素（１３）が接近したり離隔したりすることにより左右に分割されたヘッドレスト要素（１３）の左右の長さが調整される。
【先行技術文献】
【特許文献】
【０００６】
【特許文献１】特開２０１５−０２１２１７号公報
【発明の概要】
【発明が解決しようとする課題】
【０００７】
しかしながら、特許文献１に開示されたサイズアジャスターにおいては、着用者の後頭部に当接して着用時の安定性を確保するヘッドレスト要素（１３）が左右に分割されてお
り中央部分に後頭部が当接する部分を備えない。このため、特許文献１に開示されたサイズアジャスターにおけるヘッドレスト要素（１３）では、後頭部の左右方向の中央部分に当接する部分が存在しないことに起因して、狭い面積しかヘッドレストが後頭部に当接しないので十分な安定性を確保できない可能性がある。この可能性のために、自転車用ヘルメットを着用するユーザにとって快適な装着感が得られないという問題がある。
【０００８】
本発明は、従来技術の上述の問題点に鑑みて開発されたものであり、その目的とするところは、自転車用ヘルメットを着用するユーザにとって快適な装着感を提供することのできる自転車用ヘルメットを実現するためのサイズ調整機能を備えたヘッドレストを提供することである。
【課題を解決するための手段】
【０００９】
上記目的を達成するため、本発明に係る自転車用ヘルメットのヘッドレストは以下の技術的手段を講じている。
すなわち、本発明に係る自転車用ヘルメットのヘッドレストは、自転車用ヘルメットに好適なサイズ調整機能を備えたヘッドレストであって、前記ヘッドレストは前記自転車用ヘルメットにおいてユーザの後頭部に当接し、前記自転車用ヘルメットはユーザの頭蓋部分を保護するヘルメット本体を含み、前記ヘッドレストは、前記自転車用ヘルメット本体との接続部と、ユーザの後頭部に当接する、上下方向よりも左右方向が長い１つの部材から構成されたヘッドレスト本体と、前記ヘッドレスト本体の左右端の長さを調整する調整手段と、を含む。
【００１０】
好ましくは、前記ヘッドレスト本体は、変形可能な枠体であって、前記調整手段は、前記ヘッドレスト本体の中央部分の上下を接近させるように変形させることにより前記ヘッドレスト本体の左右端の長さを調整し、前記調整手段は、上下を接近させるように変形させた前記中央部分の形状を保持する保持部を備えるように構成することができる。
さらに好ましくは、前記ヘッドレスト本体は、可撓性を備えた素材で構成された薄い枠体であって、前記調整手段は、前記ヘッドレスト本体の中央部分の上下を接近させるようにたわませることにより前記ヘッドレスト本体の左右端の長さを調整し、前記調整手段は、上下を接近させるようにたわませた前記中央部分の形状を保持する保持部を備えるように構成することができる。
【００１１】
さらに好ましくは、前記ヘッドレスト本体は、可撓性を備えた素材で構成され、左右対称形状の薄い枠体であって、右枠体と左枠体と前記右枠体および前記左枠体を連結する中央枠体とで形成され、前記調整手段は、前記中央枠体の上下を接近させるようにたわませることにより前記右枠体と前記左枠体とを接近させて前記ヘッドレスト本体の左右端の長さを調整し、前記調整手段は、上下を接近させるようにたわませた前記中央枠体の形状を保持する保持部を備えるように構成することができる。
【発明の効果】
【００１２】
本発明によれば、自転車用ヘルメットを着用するユーザにとって快適な装着感を提供することのできる自転車用ヘルメットを実現するためのサイズ調整機能を備えたヘッドレストを提供することができる。
【図面の簡単な説明】
【００１３】
【図１】本発明の実施の形態に係るサイズ調整機能を備えたヘッドレスト１００を含む自転車用ヘルメット１０の（Ａ）正面図、（Ｂ）下から見上げた全体斜視図、（Ｃ）図１（Ｂ）からヘッドレスト１００だけを抜き出した斜視図である。
【図２】図１（Ｃ）に示すヘッドレスト１００の分解斜視図である。
【図３】図２に示すヘッドレスト本体１１０と保持部１２０とを組み立てた（Ａ）斜視図、（Ｂ）図３（Ａ）における矢示３Ｂの拡大平面図である。
【図４】サイズ調整機能を説明するためのヘッドレスト１００の部分的な平面図である。
【発明を実施するための形態】
【００１４】
以下、本発明の実施の形態に係るサイズ調整機能を備えたヘッドレスト１００およびそのヘッドレスト１００を含む自転車用ヘルメット１０（以下において単にヘルメット１０と記載する場合がある）について、図面に基づき詳しく説明する。ここで、自転車用ヘルメットの構造には様々なものがあり、本発明は特定の構造に限定されるものではなく、後述する特徴（サイズ調整機能）を備えたヘッドレスト１００を含む自転車用ヘルメットであれば、自転車用ヘルメットの構造がどのようなものであっても、自転車用ヘルメットを構成する素材の種類、素材の接合方法等がどのようなものであっても、基本的には構わない。そのため、以下に示す自転車用ヘルメットの構造等は単なる例示でしかない。
【００１５】
なお、このヘルメット１０は、サイズ調整機能としては、詳しく後述するヘッドレスト１００の左右方向のサイズ調整機能に加えて、ヘルメット１０本体の周囲長（頭周）を調整する。このようなヘルメット１０本体の周囲長（頭周）を調整する機構の一例としては、図示しないワイヤーと、そのワイヤーの長さをユーザが調整するとともに調整されたワイヤーの長さを保持するダイヤル１４０およびワイヤー保持機構１３０とにより実現することができる（後述の図１、図２参照）。しかしながら、ヘルメット１０本体の周囲長（頭周）のサイズ調整機能については本発明と直接的な関係が低いので詳しく説明しない。また、さらに別の調整機能を備えたヘルメット１０であっても構わない。
【００１６】
サイズ調整機能を備えたヘッドレスト１００を含む自転車用ヘルメット１０の正面図を図１（Ａ）に、自転車用ヘルメット１０を下から見上げた全体斜視図を図１（Ｂ）に、図１（Ｂ）からヘッドレスト１００だけを抜き出した斜視図を図１（Ｃ）に、それぞれ示す。
これらの図に示すように、この自転車用ヘルメット１０は、ユーザの頭蓋部分を保護するヘルメット本体２０と、サイズ調整機能を備えたヘッドレスト１００とを含んで構成されている。このように、この自転車用ヘルメット１０はこれらのヘルメット本体２０とヘッドレスト１００とを含んで構成されていればよく、上述したようにヘルメット１０本体の周囲長（頭周）のサイズ調整機能を備えていても構わない。
【００１７】
ここで、以下の説明における上下方向、左右方向および前後方向は、このヘルメット１０を着用したユーザから見た方向であって、図１に示す通りである。そのため、このヘルメット１０を後方向から前方向に見た外観を示す図面にはダイヤル１４０の全体が示されるとともにその図面の右側が右方向でその図面の左側が左方向である。そして、このヘルメット１０を前方向から後方向に見た内面を示す図面にはダイヤル１４０が隠れて示されるとともにその図面の右側が左方向でその図面の左側が右方向である。たとえば、図１（Ａ）に示すヘルメット１０の正面図と図４に示すヘッドレスト本体１１０の部分的な平面図とはこのヘルメット１０を前方向から後方向に見た内面を示す図（ダイヤル１４０が隠れて示される図）であって、図２に示すヘッドレスト１００の分解斜視図と図３（Ａ）に示すヘッドレスト本体１１０と保持部１２０とを組み立てた斜視図とはこのヘルメット１０を後方向から前方向に見た外観を示す図（ダイヤル１４０の全体が示される図）である。
【００１８】
次に、図２に示すヘッドレスト１００の分解斜視図、図３（Ａ）に示すヘッドレスト本
体１１０と保持部１２０とを組み立てた斜視図、および、図３（Ｂ）に示す図３（Ａ）の矢示３Ｂの拡大平面図を参照して、このヘルメット１０が備える特徴であるサイズ調整機能を備えたヘッドレスト１００の構造について説明する。なお、このヘッドレスト１００のサイズ調整機能については、ヘッドレスト１００の構造について説明した後に図４を用いて説明する。ここで、このヘッドレスト１００は、自転車用ヘルメット１０においてユーザの後頭部に当接して着用時の安定性を確保することにより自転車用ヘルメット１０を着用するユーザにとって快適な装着感を提供する点については従来のヘッドレストと同じであるが、本発明に係るヘッドレストは、ユーザの後頭部に十分にかつ確実に当接して着用時に十分な安定性を確保する点が異なる。
【００１９】
まずは、このヘッドレスト１００が有する技術的な構造上の特徴を以下に大略的に説明する。
このヘッドレスト１００は、自転車用ヘルメット１０に含まれるヘルメット本体２０との接続部と、ユーザの後頭部に当接する、上下方向よりも左右方向が長い１つの部材から構成されたヘッドレスト本体１１０と、ヘッドレスト本体１１０の左右端の長さを調整する調整手段（後述する中央枠体１１４Ｃおよび保持部１２０）と、を含むことを特徴とする。ここで、限定されるものではないが、本実施の形態に係るヘッドレスト１００においては、ヘルメット本体２０との接続部はヘッドレスト本体１１０から一体的に延設されたもの（後述する接続部１１２Ａおよび接続部１１２Ｂ）である。
【００２０】
さらに、限定されるものではないが、ヘッドレスト本体１１０を変形可能な枠体で構成して、調整手段として、ヘッドレスト本体１１０の中央部分（後述する中央枠体１１４Ｃ）の上下を接近させるように変形させることによりヘッドレスト本体１１０の左右端の長さを調整するように構成することもできる。そして、この調整手段は、上下を接近させるように変形させた中央部分（後述する中央枠体１１４Ｃ）の形状を保持する保持部（後述する中央枠体１１４Ｃおよび保持部１２０）を備えるように構成することもできる。
【００２１】
さらに、限定されるものではないが、ヘッドレスト本体１１０は、可撓性を備えた素材（たとえばある程度の強度を備えたプラスチック樹脂）で構成された薄い枠体（後述する右枠体１１４Ｒ、中央枠体１１４Ｃおよび左枠体１１４Ｌ）で構成して、調整手段として、ヘッドレスト本体の中央部分（後述する中央枠体１１４Ｃ）の上下（後述する中央枠体１１４Ｃの上辺１１４ＣＵおよび下辺１１４ＣＤ）を接近させるようにたわませることによりヘッドレスト本体１１０の左右端の長さ（後述する右枠体１１４Ｒの端部と左枠体１１４Ｌの端部との距離）を調整するように構成することもできる。そして、この調整手段は、上下を接近させるようにたわませた中央部分（後述する中央枠体１１４Ｃ）の形状を保持する保持部（後述する中央枠体１１４Ｃおよび保持部１２０）を備えるように構成することもできる。
【００２２】
さらに、限定されるものではないが、ヘッドレスト本体１１０は、可撓性を備えた素材（たとえばある程度の強度を備えたプラスチック樹脂）で構成され、左右対称形状の薄い枠体であって、右枠体１１４Ｒと左枠体１１４Ｌとこれらの右枠体１１４Ｒおよび左枠体１１４Ｌを連結する中央枠体１１４Ｃとで一体的に構成して（たとえば樹脂成形）、調整手段として、中央枠体１１４Ｃの上下（後述する中央枠体１１４Ｃの上辺１１４ＣＵおよび下辺１１４ＣＤ）を接近させるようにたわませることにより右枠体１１４Ｒと左枠体１１４Ｌとを接近させてヘッドレスト本体の左右端の長さを調整するように構成することもできる。そして、この調整手段は、上下を接近させるようにたわませた中央枠体１１４Ｃの形状を保持する保持部（後述する中央枠体１１４Ｃの上側係合爪１１４ＵＡおよび上側係合爪１１４ＵＢ、中央枠体１１４Ｃの下側係合爪１１４ＤＡおよび下側係合爪１１４ＤＢならびに保持部１２０の上側係合溝１２２ＵＡおよび上側係合溝１２２ＵＢ、保持部１２０の下側係合溝１２２ＤＡおよび下側係合溝１２２ＤＢ）を備えるように構成すること
もできる。
【００２３】
このような大略的に説明したこのヘッドレスト１００が有する技術的な構造上の特徴を以下に詳しく説明する。
図２および図３に示すように、このヘルメット１０が備えるヘッドレスト１００は、ヘッドレスト本体１１０と保持部１２０とワイヤー保持機構１３０とダイヤル１４０とから構成され、ワイヤー保持機構１３０とダイヤル１４０とは図示しないワイヤーとともにヘルメット１０本体の周囲長（頭周）を調整する。以下においては、ヘッドレスト１００が備える技術的特徴であるヘットレスト自体の長さ調整機能を発現するヘッドレスト本体１１０と保持部１２０とを主として説明する。
【００２４】
ヘッドレスト１００が備えるヘルメット本体２０との接続部は、ヘッドレスト本体１１０から一体的に延設された接続部１１２Ａおよび接続部１１２Ｂとして構成される。この接続部１１２Ａの先端および接続部１１２Ｂの先端には突起部１１２Ｃをそれぞれ備え、ヘルメット本体２０の所定の位置に設けられた嵌合穴（図示せず）にこの突起部１１２Ｃが嵌め込まれてヘルメット本体２０にこのヘッドレスト１００が取り付けられる。
【００２５】
このような接続部を備えたヘッドレスト本体１１０は、可撓性を備えた素材であって、たとえばある程度の強度を備えたプラスチック樹脂で一体的に成形されることが好ましい。このヘッドレスト本体１１０は、左右対称形状の薄い枠体であって、右枠体１１４Ｒと左枠体１１４Ｌとこれらの右枠体１１４Ｒおよび左枠体１１４Ｌを連結する中央枠体１１４Ｃとで一体的に構成されている。図示したように、中央枠体１１４Ｃは略台形形状（左右対称であるので等脚台形）、右枠体１１４Ｒおよび左枠体１１４Ｌはその略台形形状に延設された略三角形形状を備える。これらの中央枠体１１４Ｃと右枠体１１４Ｒとの連結部近傍から接続部１１２Ｂが、中央枠体１１４Ｃと左枠体１１４Ｌとの連結部近傍から接続部１１２Ａがそれぞれ延設されている。なお、略台形形状の中央枠体１１４Ｃは、上辺１１４ＣＵ、下辺１１４ＣＤ、右側辺１１４ＣＲおよび左側辺１１４ＣＬで構成され、右側辺１１４ＣＲは略三角形形状の右枠体１１４Ｒの一辺を形成し、左側辺１１４ＣＬは略三角形形状の左枠体１１４Ｌの一辺を形成している。
【００２６】
中央枠体１１４Ｃには、保持部１２０とともに調整手段として機能する、中央枠体１１４Ｃの上辺１１４ＣＵの略中央に上側係合爪１１４ＵＡおよび上側係合爪１１４ＵＢを、中央枠体１１４Ｃの下辺１１４ＣＤの略中央に下側係合爪１１４ＤＡおよび下側係合爪１１４ＤＢを、それぞれ備える。これらの係合爪は上辺１１４ＣＵまたは下辺１１４ＣＤに略垂直に設けられその開放端側は面取りされるとともにフック状に形成されており後述するスライド溝から抜け落ちることを防止している。
【００２７】
調整手段として機能する保持部１２０は、略三角形状の薄板であって、その平面の上下方向に開けられた長穴形状の２つのスライド穴１２０ＨＡおよびスライド穴１２０ＨＢを備える。このスライド穴１２０ＨＡおよびスライド穴１２０ＨＢに、ヘッドレスト本体１１０の中央枠体１１４Ｃの上辺１１４ＣＵに設けられた上側係合爪１１４ＵＡおよび上側係合爪１１４ＵＢならびに下辺１１４ＣＤに設けられた下側係合爪１１４ＤＡおよび下側係合爪１１４ＤＢが挿入される。
【００２８】
このスライド穴１２０ＨＡおよびスライド穴１２０ＨＢには、図３（Ｂ）に示すように、係合爪が係合してその位置が固定される溝を、上側に３箇所、下側に３箇所、それぞれ備える。より具体的には、スライド穴１２０ＨＡに上側係合爪１１４ＵＡが係合して固定される上側係合溝１２２ＵＡを３箇所および下側係合爪１１４ＤＡが係合して固定される下側係合溝１２２ＤＡを３箇所、ならびに、スライド穴１２０ＨＢに上側係合爪１１４ＵＢが係合して固定される上側係合溝１２２ＵＢを３箇所および下側係合爪１１４ＤＢが係
合して固定される下側係合溝１２２ＤＢを３箇所、それぞれ備える。また、溝の上下端にもこれらの溝と同じ形状の溝を備える。さらに、１つのスライド穴あたりの溝の個数は６個（上下端を含むと８箇所）に限定されるものではない。
【００２９】
溝に係合爪が係合されると、それぞれの溝の位置で係合爪が固定されることにより、後述するように上下を接近させるようにたわませた中央枠体１１４Ｃの形状を保持されて右枠体１１４Ｒと左枠体１１４Ｌとが接近された状態を保持してヘッドレスト本体１１０の左右端の長さを調整することができる。なお、係合爪と溝とは、このヘルメット１０を着用する前に着用者が手で中央枠体１１４Ｃの上辺１１４ＣＵおよび下辺１１４ＣＤをつまんで上辺１１４ＣＵと下辺１１４ＣＤとを接近させたり離隔させたりすることができ、かつ、溝に係合爪が係合されているときには容易に係合爪が溝から外れないようにその素材および形状が設定されている。
【００３０】
なお、この溝の左右側にはスライド壁１２４Ａおよびスライド壁１２４Ｂが立設され、これらの溝の間にはスライド壁１２４Ｃが立設されている。これらのスライド壁の高さは、係合爪が保持部１２０の溝から飛び出た高さ以上で設けられ、保持部１２０にワイヤー保持機構１３０を被せても係合爪が溝内でスライドできるように形成されている。
以上のような構成を備えるヘッドレスト１００の長さ調整機能について図４を参照して説明する。
【００３１】
図４（Ａ）は、中央枠体１１４Ｃの上辺１１４ＣＵと下辺１１４ＣＤとが最も離隔した状態を示し、図４（Ｄ）は、中央枠体１１４Ｃの上辺１１４ＣＵと下辺１１４ＣＤとが最も接近した状態を示し、図４（Ｂ）および図４（Ｃ）はそれらの中間状態をそれぞれ示す。さらに詳しくは、図４（Ａ）が図３（Ｂ）に対応し、図４（Ｂ）が図３（Ｂ）において上側の係合爪が上から一番目の溝に係合かつ下側の係合爪が下から一番目の溝に係合している状態に対応し、図４（Ｃ）が図３（Ｂ）において上側の係合爪が上から二番目の溝に係合かつ下側の係合爪が下から二番目の溝に係合している状態に対応し、図４（Ｃ）が図３（Ｂ）において上側の係合爪が上から三番目の溝に係合かつ下側の係合爪が下から三番目の溝に係合している状態に対応している。なお、以下の説明においては、Ｎ＝Ｍ（Ｎ、Ｍはともに自然数）とした上で上側の係合爪が上からＮ番目の溝に係合し下側の係合爪が下からＭ番目の溝に係合するとして説明するが、Ｎ≠Ｍであっても構わない。
【００３２】
図４（Ａ）に示す状態から、着用者が手で中央枠体１１４Ｃの上辺１１４ＣＵおよび下辺１１４ＣＤをつまんで上辺１１４ＣＵと下辺１１４ＣＤとを一段階接近させると、すなわち、溝上端の溝に係合している上側の係合爪を上から一番目の溝に係合させ替えて、かつ、溝下端の溝に係合している下側の係合爪を下から一番目の溝に係合させ替えると、図４（Ｂ）に示す状態に移行する。このとき、中央枠体１１４Ｃの上辺１１４ＣＵと下辺１１４ＣＤとがたわませられて接近して中央枠体１１４Ｃの上辺１１４ＣＵと下辺１１４ＣＤとの距離（ここでは上側係合爪１１４ＵＡと下側係合爪１１４ＤＡとの距離または上側係合爪１１４ＵＢと下側係合爪１１４ＤＢとの距離とした）である長さがＨ（１）からＨ（２）へ短くなるとともに、右枠体１１４Ｒ（の右側端）と左枠体１１４Ｌ（の左側端）との距離である長さＬ（１）からＬ（２）へ短くなる。
【００３３】
さらに、図４（Ｂ）に示す状態から、着用者が手で中央枠体１１４Ｃの上辺１１４ＣＵおよび下辺１１４ＣＤをつまんで上辺１１４ＣＵと下辺１１４ＣＤとをさらに一段階接近させると、すなわち、上から一番目の溝に係合している上側の係合爪を上から二番目の溝に係合させ替えて、かつ、下から一番目の溝に係合している下側の係合爪を下から二番目の溝に係合させ替えると、図４（Ｃ）に示す状態に移行する。このとき、中央枠体１１４Ｃの上辺１１４ＣＵと下辺１１４ＣＤとがたわませられて接近して中央枠体１１４Ｃの上辺１１４ＣＵと下辺１１４ＣＤとの距離である長さがＨ（２）からＨ（３）へ短くなると
ともに、右枠体１１４Ｒ（の右側端）と左枠体１１４Ｌ（の左側端）との距離である長さＬ（２）からＬ（３）へさらに短くなる。
【００３４】
さらに、図４（Ｃ）に示す状態から、着用者が手で中央枠体１１４Ｃの上辺１１４ＣＵおよび下辺１１４ＣＤをつまんで上辺１１４ＣＵと下辺１１４ＣＤとをさらに一段階接近させると、すなわち、上から二番目の溝に係合している上側の係合爪を上から三番目の溝に係合させ替えて、かつ、下から二番目の溝に係合している下側の係合爪を下から三番目の溝に係合させ替えると、図４（Ｄ）に示す状態に移行する。このとき、中央枠体１１４Ｃの上辺１１４ＣＵと下辺１１４ＣＤとがたわませられて接近して中央枠体１１４Ｃの上辺１１４ＣＵと下辺１１４ＣＤとの距離である長さがＨ（３）からＨ（４）へ短くなるとともに、右枠体１１４Ｒ（の右側端）と左枠体１１４Ｌ（の左側端）との距離である長さＬ（３）からＬ（４）へさらに短くなる。
【００３５】
また、係合爪を上述とは逆にスライドさせると、中央枠体１１４Ｃの上辺１１４ＣＵと下辺１１４ＣＤとのたわみが緩められて離隔して中央枠体１１４Ｃの上辺１１４ＣＵと下辺１１４ＣＤとの距離である長さＨが長くなるとともに、右枠体１１４Ｒ（の右側端）と左枠体１１４Ｌ（の左側端）との距離である長さＬが長くなる。
このようにして、ヘッドレスト本体１１０を可撓性を備え、かつ、ある程度の強度を備えたプラスチック樹脂の薄い枠体で構成して、中央枠体１１４Ｃの上辺１１４ＣＵと下辺１１４ＣＤとを接近させるようにたわませることにより右枠体１１４Ｒと左枠体１１４Ｌとを接近させてヘッドレスト本体の左右端の長さを調整することができる。このサイズ調整機能は、上述したように簡易な構成で、かつ、上述した通り簡単な手順でユーザが調整することができるともに、たわむようにして上下に接近／離隔する中央枠体１１４Ｃも（右枠体１１４Ｒおよび左枠体１１４Ｌとともに）着用者の後頭部に当接するためにヘッドレスト１００が広い面積で着用者の後頭部に当接して十分な安定性を確保できて、自転車用ヘルメットを着用するユーザにとって快適な装着感が得られる。
【００３６】
以上のようにして、本実施の形態に係るヘッドレスト１００を備えた自転車用ヘルメット１０によると、ヘッドレスト１００がサイズ調整機能を備えるために自転車用ヘルメット１０を着用するユーザにとって快適な装着感を提供することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３７】
たとえば、変形として以下のような態様が考えられる。保持部として、中央枠体１１４Ｃの上辺１１４ＣＵおよび下辺１１４ＣＤの互いの辺が対向する面に貫通するねじ穴を設けて（一方は右ねじで他方は左ねじ）それらのねじ穴を全ねじで連結して、全ねじを回転させることにより上辺１１４ＣＵと下辺１１４ＣＤとを接近させたり離隔させたり、ねじの螺合によりその位置で保持させたりするようにしても構わない。
【産業上の利用可能性】
【００３８】
本発明は、自転車用ヘルメットを着用するユーザにとって快適な装着感を提供することのできる自転車用ヘルメットに好適であり、ヘッドレストがサイズ調整（アジャスター）機能を備える点で特に好ましい。
【符号の説明】
【００３９】
１０    自転車用ヘルメット
２０    ヘルメット本体
１００  ヘッドレスト
１１０  ヘッドレスト本体
１２０  保持部
１３０  ワイヤー保持機構
１４０  ダイヤル
【図１】
2020200548.tif 000003
【図２】
2020200548.tif 000004
【図３】
2020200548.tif 000005
【図４】
2020200548.tif 000006